(57)【要約】      （修正有）【課題】残余の生コンクリートを打継いで土木建築用ブロックを成形するための打継用型枠及びこれを用いて成形した土木建築用ブロックを提供する。【解決手段】二つの成形空間Ｓ、Ｓを囲むべく、二枚の共通の側面パネル１、１、両背面パネル２、２及び共通の底面パネル３と、隣接するパネル相互を以上の状態に維持する挟持具４、４…と、各成形空間Ｓ、Ｓの正面の四辺に沿って配する面取り部材５、５…と、両成形空間Ｓ、Ｓの正面に各々配した面取り部材５、５…間である保持隙間６に挿脱自在に挿入する模様成形パネル７と、各成形空間Ｓ、Ｓの上面に配する凹部形成用の補助枠８、８とで構成する。隣接する側面パネル１、１と両背面パネル２、２とは介在片９を介して挟持具４、４…で結合する。模様成形パネル７は両面に対応する成形空間Ｓ、Ｓの正面用の模様成形面を有する。補助枠８、８の開口部８ｅに成形空間Ｓ、Ｓの底部近傍から立ち上がる打継用鉄筋１０の吊上部１０ａを貫通させ係止棒８ｆで吊り下げ状態にする。【選択図】図１
0003136558.tif 000002
【実用新案登録請求の範囲】
【請求項１】
直方体状の一つの成形空間を囲むべく、その正面を除く、背面、両側面及び底面に配するパネルと、
それらのパネルを該成形空間を囲む状態に維持すべく保持する保持手段と、
該成形空間の正面に該当する部位の四辺に沿った位置に配置した断面三角形の面取り部材と、
該面取り部材の外側に後記模様成形パネルを挿脱自在に挿入保持すべく構成した保持隙間と、
該保持隙間でその四辺を保持すべく該保持隙間に挿脱自在に挿入する、内面に模様成形面を備えた模様成形パネルと、
上面の中央付近に配される凹部形成用の補助枠であって、成形されるブロックの上面中央部付近に開口し、底面近傍から立ち上がる打継用鉄筋の上部の吊上部を通過させる開口部及びこの開口部を通じて上方に突き出した吊上部を係止するための係止手段を備えた補助枠と、
で構成した打継用型枠。
【請求項２】
対面状態に配された直方体状の二つの成形空間を囲むべく、それらの相互に対面する正面を除く、それぞれの背面、両側面及び底面に配するパネルと、
それらのパネルを該各成形空間を囲む状態に維持すべく保持する保持手段と、
該二つの成形空間の対面する相互の正面間に模様成形パネルの厚み分の隙間を空けて配した断面三角形の面取り部材であって、それぞれの成形空間の正面の四辺に沿った位置に配置した断面三角形の面取り部材と、
前記二つの成形空間の各々の正面の四辺に沿って配した面取り部材間の隙間を保持隙間として、その四辺を該面取り部材で保持すべくその間に挿脱自在に挿入する模様成形パネルであって、対面する二つの成形空間の各々正面の模様成形のための模様成形パネルを兼ねるべく両面に模様成形面を備えた模様成形パネルと、
各成形空間の上面の中央付近に配される凹部形成用の補助枠であって、成形されるブロックの上面中央部付近に開口し、底面近傍から立ち上がる打継用鉄筋の上部の吊上部を通過させる開口部及びこの開口部を通じて上方に突き出した吊上部を係止するための係止手段を備えた補助枠と、
で構成した打継用型枠。
【請求項３】
請求項１又は２の打継用型枠でコンクリートを打ち継ぎながら打設して成形した土木建築用ブロック。
【考案の詳細な説明】
【技術分野】
【０００１】
本考案は、廃材となる残生コンクリートを利用して打ち継ぎつつ成形するために使用する打継用型枠及びこれを用いて成形した土木建築用ブロックに関するものである。
【背景技術】
【０００２】
この種の打継用型枠及びそのような型枠を用いて成形した土木建築用ブロックについては、未だ提案されたものはない。通常、建設現場から生コンクリート製造工場等に戻ってきた残余の生コンクリートは、その骨材を再利用するためにトロンメル等の装置を用いて分離したり、或いは単に水洗いされたり、そのような時間的な余裕のない場合はそのまま廃棄ヤードに排出放置され不定形のコンクリートの塊になってしまうこともある。
【０００３】
そのような不定形のコンクリートの塊はその後の処理に苦慮することになるし、トロンメル等の装置を利用して骨材を分離して再利用する場合であっても、得られる骨材による利益に比してそのような作業に要する時間及び残りのセメント分等の廃棄処分が厄介である。
【０００４】
そこでこのような建設現場から戻される残余の生コンクリートを直接利用することを考える余地があるが、このような残余の生コンクリートは、当然ながら量的にも不安定であり、製造してからの経過時間も種々であって、その適当な利用法は提案されていない。
【０００５】
この種の廃物の利用法としては、以上のような生コンクリートの直接の利用ではなく、生コンクリート残渣、即ち、生コンクリートから骨材を分離した残りのセメント分を利用する生コンクリート残渣の利用方法及び成形品の仕上げ方法（特許文献１）が提案されている。
【０００６】
これは、例えば、建設現場で余ってしまった不要な生コンクリートから骨材を分離除去した生コンクリート残渣を脱水し、これに硫酸カルシウムを加え、適宜水分を調整して混練したものを、型枠成形、塗込、或いは吹き付け用の材料として使用する、生コンクリート残渣の利用方法である。以上に於いて、混練時或いはそれ以前の段階で、粘結剤を添加することもあり、或いは更に、以上のように処理して適宜水分を調整して混練した段階のものを型枠成形し、得られた成形品の表面に、粘結剤溶液を噴霧、塗布或いは浸漬により施し、次いで加熱乾燥する生コンクリート残渣を使用した成型品の仕上げ方法である。
【０００７】
この特許文献１の技術は、前記のように、建設現場で余った生コンクリートをそのままその場で又は生コンクリートの製造工場等に持ち帰ってそのまま使用するのではなく、前記のように、その生コンクリートからトロンメル等の装置を用いて骨材を分離除去し、残ったセメント分の用法であり、有用には違いないが、生コンクリートの製造工場等では、不要の生コンクリートを持ち帰った運搬車はすぐに次の現場に生コンクリートを搬送する等の必要があることが多く、残余の生コンクリートにこのような処理を行っている時間的な余裕が無いことが普通である。
【０００８】
【特許文献１】特開平０８−３３３１５４号公報
【考案の開示】
【考案が解決しようとする課題】
【０００９】
本考案は、以上に述べた従来技術の問題点を解決し、建設現場等から持ち帰った量的に不安定な残余の生コンクリートを時間をかけずに有効に活用すべく、特別の処理を行うことなく順次利用して土木建築用ブロックを成形するための打継用型枠及びこれを用いて成形した土木建築用ブロックを提供することを解決の課題とする。
【課題を解決するための手段】
【００１０】
本考案の１は、直方体状の一つの成形空間を囲むべく、その正面を除く、背面、両側面及び底面に配するパネルと、
それらのパネルを該成形空間を囲む状態に維持すべく保持する保持手段と、
該成形空間の正面の四辺に沿った位置に配置した断面三角形の面取り部材と、
該面取り部材の外側に後記模様成形パネルを挿脱自在に挿入保持すべく構成した保持隙間と、
該保持隙間でその四辺を保持すべく該保持隙間に挿脱自在に挿入する、内面に模様成形面を備えた模様成形パネルと、
上面の中央付近に配される凹部形成用の補助枠であって、成形されるブロックの上面中央部付近に開口し、底面近傍から立ち上がる打継用鉄筋の上部の吊上部を通過させる開口部及びこの開口部を通じて上方に突き出した吊上部を係止するための係止手段を備えた補助枠と、
で構成した打継用型枠である。
【００１１】
本考案の２は、対面状態に配された直方体状の二つの空間を囲むべく、それらの相互に対面する正面を除く、それぞれの背面、両側面及び底面に配するパネルと、
それらのパネルを該直方体状の各空間を囲む状態に維持すべく保持する保持手段と、
二つの直方体状の空間の対面する相互の正面間に模様成型パネルの厚み分の隙間を空けて配した断面三角形の面取り部材であって、それぞれの直方体状の空間の正面に該当する部位の四辺に沿った位置に配置した断面三角形の面取り部材と、
前記二つの直方体状の空間の各々の正面の四辺に沿って配した面取り部材間の隙間を保持隙間として、その四辺を該面取り部材で保持すべくその間に挿脱自在に挿入する模様成形パネルであって、対面する二つの直方体状の空間の各々正面の模様成形のための模様成形パネルを兼ねるべく両面に模様成形面を備えた模様成形パネルと、
各直方体状の空間の上面の中央付近に配される凹部形成用の補助枠であって、成形されるブロックの上面中央部付近に開口し、底面近傍から立ち上がる打継用鉄筋の上部の吊上部を通過させる開口部及びこの開口部を通じて上方に突き出した吊上部を係止するための係止手段を備えた補助枠と、
で構成した打継用型枠である。
【００１２】
本考案の３は、請求項１又は２の打継用型枠でコンクリートを打ち継ぎながら打設して成形した土木建築用ブロックである。
【考案の効果】
【００１３】
本考案の１の打継用型枠によれば、例えば、生コンクリート製造工場等の一画にこれを配置しておけば、建設現場から残余の生コンクリートを持ち帰った場合に、これを単に該打継用型枠の上部の補助枠以外の部分から投入打設することを繰り返すのみで、該型枠の成形空間の形状に一致する外部形状のブロックを成形することができる。該型枠のサイズにもよるが、多くの場合は２回程度の生コンクリートの打設で該型枠に必要量の生コンクリートを充填することが可能となると思われる。従って打ち継ぎは概ね１回程度となると思われる。
【００１４】
前記のように、補助枠から、その上部に突き出した吊上部を備えた打継用鉄筋を型枠の底面近傍まで垂下してあるため、打ち継ぎされた上下のコンクリート相互は少なくとも該打継用鉄筋を介して確実に結合することになる。
【００１５】
また該型枠の正面側には、挿脱自在な模様成形パネルが配してあり、成形されるブロックの正面には対応する模様が形成されることになる。またこの模様成形パネルは挿脱自在に構成されており、適宜取り換えることにより、順次異なる模様のブロックに成形することができる。
【００１６】
該型枠中で、コンクリートが硬化した後は、各々のパネルを前記保持手段の保持を解除することにより外して型枠を解体し、成形されたブロックを取り出すことができる。このブロックは土木建築用ブロックとして使用することができる。
【００１７】
本考案の２の打継用型枠によれば、本考案の１のそれと同様のブロックを一度に二つ成形することができる。生コンクリートの打設の仕方、容易に打ち継ぎができる点、成形されるブロックの形状、ブロックの正面の模様、その他、成形されるブロックの数の点を除いては全て本考案の１と同様である。
【００１８】
本考案の３は、本考案の１又は２の打継用型枠を用いて成形した土木建築用ブロックであり、打継があっても打継前後のコンクリート相互が特に前記打継用鉄筋を介して良好に結合し、必要な結合強度を持ったブロックとなる。また正面には模様を備えたものとなる。更にその上部中央には凹部が形成され、その凹部中に打継用鉄筋の一部である吊上部が突出し、この吊上部を利用して種々の建設機械によりその移動や積み重ね、その他の操作を容易に行うことができる。
【考案を実施するための最良の形態】
【００１９】
考案を実施するための最良の形態を図面を参照しながら二つの実施例に基づいて説明する。
【００２０】
＜実施例１＞
この実施例１の打継用型枠は、図１〜図５に示すように、基本的に、後記模様成形パネル７の厚みを僅かに越える隙間を空けて対面状態に配された直方体状の二つの成形空間Ｓ、Ｓを囲むべく、相互に対面する正面を除く、それぞれの背面、両側面及び底面に配する二枚の各共通の側面パネル１、１、両背面パネル２、２及び共通の底面パネル３と、隣接するパネル相互を以上の所定の状態に維持するための挟持具（保持手段）４、４…と、各成形空間Ｓ、Ｓの正面の四辺に沿って配する面取り部材５、５…と、両成形空間Ｓ、Ｓの正面に各々配した面取り部材５、５…の間である保持隙間６に挿脱自在に挿入する模様成形パネル７と、各成形空間Ｓ、Ｓの上面の中央付近に配される凹部形成用の補助枠８、８とで構成したものである。
【００２１】
前記直方体状の成形空間Ｓ、Ｓは、図１〜図５に示すように、この実施例１では、正面及び背面から見てほぼ正方形で、側面及び平面から見て長方形に構成したものである。このような形状は、これに限定されず種々のそれを採用可能である。この二つの成形空間Ｓ、Ｓを相互にその正面で対面させ、その間の隙間は、前記したように、模様成形パネル７の厚みを僅かに越える程度に設定する。
【００２２】
前記二枚の各共通の側面パネル１、１、両背面パネル２、２及び共通の底面パネル３はその内、前二者は、図１〜図５に示したように、パネル本体１ａ、２ａとその外面側に縦横に固設した帯状の補強板１ｂ、２ｂとで構成したものであり、最後の底面パネル３は一枚の金属板材のみで構成したものである。
【００２３】
以上の内、前記側面パネル１、１は、図１及び図２に示すように、それぞれ対面する二つの成形空間Ｓ、Ｓの側面を共通に成形するパネルであり、そのような寸法形状に構成したものである。なお、そのパネル本体１ａの外面側に縦横に配した補強板１ｂ、１ｂ…は、該パネル本体１ａの四辺では、その縁に沿って配し、それらが隣接する背面パネル２、２と介在片９を介して連結するための連結板を兼ねるように構成する。
【００２４】
前記背面パネル２、２は、図１及び図３に示すように、成形空間Ｓ、Ｓの背面を成形するパネルであり、そのような寸法形状に構成したものである。なお、そのパネル本体２ａの外面側に縦横に配した補強板２ｂ、２ｂ…は、該パネル本体２ａの四辺では、その縁に沿って配し、それらが隣接する側面パネル１、１と前記介在片９を介して連結するための連結板を兼ねるように構成する
【００２５】
前記底面パネル３は、前記したように、１枚の金属板材のみで構成したものであり、前記側面パネル１、１、前記背面パネル２、２、二組の正面の四辺に配した面取り部材５、５…及び前記模様成形パネル７のそれぞれの底部側の部位が、該底面パネル３に接触し、かつその上に載った状態となって型枠を構成する。
【００２６】
なお、前記介在片９は、図１〜図３に示すように、平面から見てＬ型を基本形状とする長尺部材であり、この実施例では、両側の連結片９ａ、９ａと、その最上部、中間部及び最下部に配した三角形の補強片９ｂ、９ｂ、９ｂとで構成したものである。
【００２７】
前記挟持具４、４…は、図６(a)、(b)に示すように、棒状部材の途中を円弧状にしながら折り返し、該棒状部材の両側に延長する部分を平行状態で延長し、一方の先端を他方の先端の延長先に折り曲げた物である。棒状部材の延長部分の途中はくの字型に屈曲してある。以上の内の他方の先端の延長先に折り曲げた一方の先端部は中心軸部４ａであり、円弧状の折り返し部を中心に中心軸部４ａ側に伸びる延長部分は挟持部４ｂである。
【００２８】
該挟持部４ｂは、前記側面パネル１、１の補強板１ｂを兼ねる連結板とこれに重ね合わせた介在片９の連結片９ａを同時に挟持し得る隙間を有し、図６(a)、(b)に示すように、先端の中心軸部４ａを上記状態の連結板と連結片９ａで相互に一致している結合孔１ｃ、９ｃに同時に挿入し、該中心軸部４ａを中心に回動させて、連結板（補強板１ｂ）と連結片９ａを該挟持部４ｂで挟持する如くに使用する。
【００２９】
前記面取り部材５、５…は、図１〜図５に示すように、前記二つの成形空間Ｓ、Ｓの正面、即ち、相互に対面する面の四辺に沿って配する。それぞれは断面三角形の長尺部材であり、その長さは、正面の各辺に相当する寸法とする。また正面の四辺の面取りを行えるように配置する。正面の両側の辺に配するそれは、予め両側に配される側面パネル１、１の該当する位置に固設しておき、下辺のそれは底面パネル３の該当する位置に固設しておく。上辺のそれは、その両端で両側の側面パネル１、１に突っ張り状態となることで固定されるようにその長さ寸法を設定しておく。
【００３０】
以上の面取り部材５、５…は、図１、図２、図４及び図５に示すように、かつ先に述べたように、その背面間に、模様成形パネル７の厚みを僅かに越える隙間、即ち、保持隙間６を空けて配したものである。前記したように、対面する二つの成形空間Ｓ、Ｓは、その正面間に以上の保持隙間６に相当する隙間のみを空けて位置決めしたものであるが、両正面の四辺に面取り部材５、５…を配したことによってその隙間の幅が狭まることはない。即ち、該面取り部材５、５…は、以上に述べたように、対面する二つの成形空間Ｓ、Ｓの正面の四辺にその面取りをするために面取りサイズの物を配したものだからである。従って相互の四辺の面取り部材５、５…の背面は、該保持隙間６の幅を確定する作用を果たすことになる。
【００３１】
前記模様成形パネル７は、図１、図２、図４及び図５に示すように、かつ前記したように、前記面取り部材５、５…の間である保持隙間６に挿脱自在に挿入する部材であり、その両側の成形空間Ｓ、Ｓの正面の模様を成形すべく、その両面に図示しない模様成形面を備えたものである。この模様成形パネル７は、以上のように、保持隙間６に挿脱自在に配するものであるから、模様の異なる数種類を用意しておけば、これを交換することで正面の模様の異なる数種のブロックを成形することができることになる。
【００３２】
前記補助枠８、８は、前記したように、それぞれ各成形空間Ｓ、Ｓの上面の中央付近に配されるものであり、この実施例では、図１〜図５に示すように、基本的に、長方形の底部８ａと、その四辺から外方に広がる状態で各々斜めに立ち上げた側板８ｂ、８ｂ、８ｃ、８ｃとで構成したものであり、その両側の長辺の側板８ｂ、８ｂの上端に沿って結合したＬ型支持板８ｄ、８ｄを前記両側の側面パネル１、１の上に掛け渡し状態に配することで、該補助枠８、８をそれぞれ成形空間Ｓ、Ｓの上面に配する。
【００３３】
該補助枠８、８は、この実施例では、図１、図２、図４及び図５に示すように、各成形空間Ｓ、Ｓの若干正面寄りの位置に配することとし、その底部８ａには、その状態で、該成形空間Ｓ、Ｓの中央部に対応する部位に開口部８ｅを形成しておくものとする。該開口部８ｅは、図１に示すように、該成形空間Ｓ、Ｓの側部間の方向に長い長方形の貫通孔とする。また該補助枠８、８には、それぞれ該開口部８ｅの上部をその長さ方向を横切る向きに係止棒（係止手段）８ｆを配する。該係止棒８ｆは、図１〜図５に示すように、その両端を該補助枠８の長辺の側板８ｂ、８ｂの上部に固設する。該係止棒８ｆは、成形空間Ｓ、Ｓの底面近傍から立ち上がる打継用鉄筋１０の上部の吊上部１０ａを係止するための係止手段である。該吊上部１０ａは、この場合は、前記開口部８ｅを通じて該成形空間Ｓ、Ｓ内から該補助枠８、８の上まで突き出させる。
【００３４】
前記打継用鉄筋１０は、特に図３に示すように、正面から見て逆Ｖ型を基本とする部材であり、その最上部が前記吊上部１０ａをなし、下部の両端にはＶ字形の折り返し部１０ｂが構成してあるものである。該打継用鉄筋１０の高さ方向の寸法は、図２〜図５に示すように、前記成形空間Ｓ、Ｓの底部近傍から最上部までの寸法に対応する物に構成してある。
【００３５】
従ってこの実施例の打継用型枠によれば、まずこれを、例えば、生コンクリート製造工場等の一画に組み立てて配置しておけば、建設現場から残余の生コンクリートを持ち帰った場合に、これを単に該打継用型枠の上部の補助枠８、８以外の部分から成形空間Ｓ、Ｓ中に投入打設することを繰り返すのみで、該成形空間Ｓ、Ｓの形状に一致する形状のブロックを成形することができる。これを実用的なサイズのブロック成形用に構成した場合は、多くの場合は２回程度の生コンクリートの打設で該型枠に必要量の生コンクリートを充填することが可能となる。従って打ち継ぎは概ね１回程度となる。
【００３６】
この打継用型枠の組立は、前記生コンクリート製造工場等の一画が平坦であればその上に、そうでなければ、その領域を平坦にした上で、その上に前記底面パネル３を配置し、更にその底面パネル３上に、図１に示すように、前記側面パネル１、１及び背面パネル２、２を配置し、かつ各側面パネル１と背面パネル２の接続部には、同図に示すように、外部からその角部に装入状態に介在片９を配し、側面パネル１と該介在片９及び背面パネル２と該介在片９を前記挟持具４を用いて結合する。
【００３７】
該介在片９は、図１及び図２に示すように、側面パネル１と背面パネル２の接合する角部で、前者と後者の該当する辺の縁に沿って配されている連結板を兼ねる前者の補強板１ｂと後者の補強板２ｂとの間の平面から見て三角形の部位に装入し、該介在片９の両側の連結片９ａ、９ａを各々側面パネル１側の補強板１ｂ又は背面パネル２側の補強板２ｂと重ね合わせ、図６(a)、(b)に示すように、前記挟持具４でそれらを挟持してその状態を固定する。
【００３８】
即ち、同図に示すように、以上のように重なり合った側面パネル１の補強板１ｂと介在片９の連結片９ａの相互に一致した結合孔１ｃ、９ｃに該挟持具４の中心軸部４ａを挿入し、これを中心軸として回転させ、挟持部４ｂで、該補強板１ｂと連結片９ａとを同時に挟持してこれらをその状態で固定する。また、同様に、前記のように重なり合った背面パネル２の補強板２ｂと介在片９の連結片９ａの相互に一致した結合孔２ｃ、９ｃに他の挟持具４の中心軸部４ａを挿入し、これを中心軸として回転させ、挟持部４ｂで、該補強板２ｂと連結片９ａとを同時に挟持してこれらをその状態で固定する。
【００３９】
こうして両側面パネル１、１及び背面パネル２、２は、図１に示す状態に保持され、この状態で、前記面取り部材５、５…の内、正面の底辺及び両側辺に位置すべきものはその通りに配置されることになる。上辺に位置すべき面取り部材５、５は、図１、図２、図４及び図５に示すように、それぞれその両端を両側辺パネル１、１に突っ張り状態にしながら該当する部位に配置固定する。
【００４０】
また前記補助枠８、８は、図１〜図５に示すように、それぞれ二つの成形空間Ｓ、Ｓの上面に若干正面側寄りに配する。より詳細には、その各開口部８ｅが対象の成形空間Ｓ、Ｓの上面中央付近に位置するように該補助枠８、８の位置決めを行う。該補助枠８、８は、そのような位置関係で、同図に示すように、その両側に沿ってその端部方向に延長状態に固設したＬ型支持板８ｄ、８ｄを該成形空間Ｓ、Ｓの両側に位置する側面パネル１、１の上に掛け渡し状態に配する。該Ｌ型支持板８ｄ、８ｄの両端付近は、その底部の水平板とこれが重なり合う該側面パネル１、１の上端の補強板１ｂ、１ｂとを図示しない小型の万力で挟持して固定する。この固定は、他の手段で行っても良いのは云うまでもない。こうして前記補助枠８、８は、前記位置に固定状態となる。
【００４１】
前記補助枠８、８には、図１〜図５に示すように、その下方に配する打継用鉄筋１０の吊上部１０ａをその開口部８ｅを通じて上方に引き出し、該吊上部１０ａを前記係止棒８ｆに係止する。この実施例では、針金を用いて該吊上部１０ａを該係止棒８ｆに縛り付けて吊り下げたものである。こうして該打継用鉄筋１０は、図２〜図５に示すように、成形空間Ｓ、Ｓの底面近傍から最上部までに位置することになる。
【００４２】
このようにして生コンクリート製造工場等の一画に準備しておけば、生コンクリートを建設現場に運んだ運搬車が余った生コンクリートを持ち帰った場合等に、該残余の生コンクリートをこの打継用型枠に上部の補助枠８の脇などの空所から投入することができる。残余の生コンクリートが二つの成形空間Ｓ、Ｓに充填するのに不足する量の場合は、途中まで投入しておけばよい。このような余った生コンクリートの投入打設を更に１、２度繰り返せば、通常、二つの成形空間Ｓ、Ｓは完全に生コンクリートで充填されることになり、その打設は完了する。
【００４３】
最後の打設時には、打設後にコテなどを用いてその上面を均しておけば平坦になってより好都合である。
【００４４】
なお、最後の生コンクリートの打設時には、その打継用型枠のみでは生コンクリートが余ってしまうこともあるが、この場合は、更に別にいくつかの打継用型枠を用意しておくことにより、順次用意してある打継用型枠への打設を行うことができる。
【００４５】
以上に於いて、前記補助枠８から、その上部に突き出した吊上部１０ａを備えた打継用鉄筋１０を型枠の底面近傍まで垂下してあるため、打ち継ぎされた上下の生コンクリート相互は少なくとも該打継用鉄筋１０を介して確実に結合することになる。
【００４６】
また該打継用型枠の正面側には、挿脱自在な模様成形パネル７が配してあり、成形されるブロックＢ、Ｂの正面には対応する模様が形成されることになる。またこの模様成形パネル７は挿脱自在に構成されており、適宜取り換えることにより、順次異なる模様のブロックに成形することができる。
【００４７】
該型枠中で、コンクリートが硬化した後は、前記補助枠８を、これを支持するＬ型支持板８ｄ、８ｄの底部の水平板と側面パネル１、１の上端の補強板１ｂ、１ｂとの小型万力による結合固定を解除することにより、取り除く。このとき、予めその開口部８ｅから突き出し、直上の係止棒８ｆに針金で縛り付け固定してあった打継用鉄筋１０の吊上部１０ａの縛り付け固定を解除しておく。
【００４８】
その後、前記側面パネル１、１と前記背面パネル２、２との補強板１ｂ、１ｂ、２ｂ、２ｂを兼ねる連結板と挟持具４、４…とによる結合固定を解除し、打継用型枠を解体する。この状態で、最上部の面取り部材５は取り外すことが可能になる。両側の成形空間Ｓ、Ｓで成形されたブロックＢ、Ｂは、これを少し離間するように動かせば、その正面間に介在状態となっている模様成形用パネル７も取り外すことができる。
【００４９】
成形されるブロックＢ、Ｂは、図７(a)、(b)、(c)及び図８に示すように、正面には図示しない模様が形成され、その四辺には面取りがなされ、上面には補助枠８による凹部Ｋが形成されたものになる。該凹部Ｋには打継用鉄筋１０の最上部である吊上部１０ａが突き出し状態となっており、このブロックＢ、Ｂは、該吊上部１０ａを利用して種々の建設機械で吊り上げ、所望の位置に移動させたり、積み上げたりすることができる。種々の土木建築用ブロックとして使用することができる。
【００５０】
＜実施例２＞
実施例２の打継用型枠は、図９〜図１２(a)、(b)に示すように、直方体状の一つの成形空間Ｓを持ったものであり、それ以外は実施例１の打継用型枠と異ならない。
【００５１】
この実施例の打継用型枠は、図９〜図１２(a)、(b)に示すように、基本的に、直方体状一つの成形空間Ｓを囲むべく、その正面を除く、背面、両側面及び底面に配する二枚の側面パネル１１、１１、背面パネル１２及び底面パネル１３と、成形空間Ｓの正面の四辺に沿って配する面取り部材１５、１５…と、該面取り部材１５、１５…とそれとの間に後記模様成形パネル１７を挿入する保持隙間１６を空けて配する正面パネル２１と、隣接するパネル相互を以上の所定の状態に維持するための挟持具（保持手段）４、４…と、前記保持隙間１６に挿脱自在に挿入する模様成形パネル１７と、成形空間Ｓの上面の中央付近に配される凹部形成用の補助枠１８とで構成したものである。
【００５２】
前記成形空間Ｓは、符号も同一であるが、実施例１のそれと全く同様である。
前記二枚の側面パネル１１は、実施例１の側面パネル１と、その長さが異なる点以外は同一の構成である。実施例１の側面パネル１は、型枠の内部に二つの成形空間Ｓ、Ｓとその間の保持隙間６を有するものであるため、これに対応した長さが必要であったが、実施例２のそれは、型枠の内部に一つの成形空間Ｓと保持隙間１６を備えるべきものであるため、それに相応する長さに構成したものである。概ね、一つの成形空間Ｓの側部の長さに対応する長さだけ短く構成したものである。
【００５３】
前記背面パネル１２は、実施例１の背面パネル２と全く同一の構成である。
前記底面パネル１３は、実施例１の底面パネル３より短く構成したものであり、それ以外は実施例１のそれと全く同様である。その長さは、前記側面パネル１１のそれと同様である。
前記面取り部材１５は、実施例１の面取り部材５と全く同一の構成である。
【００５４】
前記保持隙間１６は、その幅は概ね実施例１のそれと同様であるが、その一方を以上の面取り部材１５の外面側が区画し、他方を前記正面パネル２１の内面が区画する。前記したように、該保持隙間１６は模様成形パネル１７を挿脱自在に挿入保持する手段となるものである。
【００５５】
前記正面パネル２１は、図９及び図１０に示すように、背面パネル１２と全く同一の構成である。前記したように、背面パネル１２は、実施例１の背面パネル２と全く同一であるから、該正面パネル２１も実施例１の背面パネル２と全く同一の構成であることになる。実施例１の背面パネル２及びこの実施例の背面パネル１２とは、成形空間Ｓの正面の四辺に沿って配した面取り部材１５、１５…の外面との間に保持隙間１６の分の隙間を空けて配する点が異なるのみである。
【００５６】
前記挟持具４は実施例１のそれをそのまま用いるものである。
この実施例では、正面パネル２１と側面パネル１１、１１も、実施例１の介在片９と全く同様の介在片１９を介して、全く同様の結合態様で結合固定するものであり、前記挟持具４は、当然、この場合にも同様の態様で使用する。
【００５７】
前記模様成形パネル１７は、その一面にのみ模様成形面を備えたものであることが、両面に備えた実施例１の模様成形パネル７と異なるが、それ以外は全く同一である。前記保持隙間１６にこれを挿入する際は、成形空間Ｓ側に模様成形面を向けるべきであることは云うまでもない。
【００５８】
前記補助枠１８は、図９〜図１２(a)、(b)に示すように、実施例１の補助枠８と全く同一の構成である。底部１８ａの周囲から側板１８ｂ、１８ｂ、１８ｃ、１８ｃが立ち上がり、Ｌ型支持板１８ｄ、１８ｄで打継用型枠の側面パネル１１、１１の上端上に載せると共にこれに固定できるようになっている。底部１８ａには開口部１８ｅが開口してあり、該開口部１８ｅから挿入した打継用鉄筋１０の吊上部１０ａを係止する係止棒（係止手段）１８ｆも両側板１８ｂ、１８ｂ間に配してある。
【００５９】
従ってこの実施例の打継用型枠によれば、実施例１と同様に、まずこれを、例えば、生コンクリート製造工場等の一画に組み立てて配置しておけば、建設現場から残余の生コンクリートを持ち帰った場合に、これを単に該打継用型枠の上部の補助枠１８以外の部分から成形空間Ｓ中に投入打設することを繰り返すのみで、該成形空間Ｓの形状に一致する形状のブロックＢを成形することができる。実施例１と同様に、多くの場合は２回程度の生コンクリートの打設で該型枠に必要量の生コンクリートを充填することが可能となる。従って通常打ち継ぎは概ね１回程度となる。
【００６０】
この打継用型枠の組立は、平坦な領域上に前記底面パネル１３を配置し、更にその底面パネル１３上に、図９に示すように、前記側面パネル１１、１１、背面パネル１２及び正面パネル２１を配置し、かつ各側面パネル１１と背面パネル１２の接続部及び各側面パネル１１と正面パネル２１の接続部には、同図に示すように、外部からその角部に装入状態に介在片１９を配し、側面パネル１１と該介在片１９及び背面パネル１２と該介在片１９並びに側面パネル１１と該介在片１９及び正面パネル２１と該介在片１９を、それぞれ前記挟持具４を用いて結合する。挟持具４を用いた以上の結合の仕方は実施例１に説明した通りである。
【００６１】
こうして両側面パネル１１、１１と背面パネル１２及び両側面パネル１１、１１と正面パネル２１とは、図９に示す状態に結合保持され、この状態で、前記面取り部材１５、１５…の内、成形空間Ｓの正面の底辺及び両側辺に位置すべきものはその通りに配置されることになる。上辺に位置すべき面取り部材１５は、同図に示すように、その両端を両側辺パネル１１、１１に突っ張り状態にしながら該当する部位に配置固定する。
【００６２】
また前記補助枠１８は、図９〜図１２(a)、(b)に示すように、成形空間Ｓの上面に若干正面側寄りに配する。より詳細には、その開口部１８ｅが成形空間Ｓの上面中央付近に位置するように該補助枠１８の位置決めを行い、そのような位置関係で、同図に示すように、その両側のＬ型支持板１８ｄ、１８ｄを両側の側面パネル１１、１１の上に掛け渡し状態に配する。該Ｌ型支持板１８ｄ、１８ｄの両端付近は、その底部の水平板とこれが重なり合う該側面パネル１１、１１の上端の補強板１１ｂ、１１ｂとを図示しない小型の万力で挟持して固定する。こうして前記補助枠１８を前記位置に固定状態とする。
【００６３】
前記補助枠１８には、図９〜図１２(a)、(b)に示すように、その下方に配する打継用鉄筋１０の吊上部１０ａをその開口部１８ｅを通じて上方に引き出し、該吊上部１０ａを針金を用いて前記係止棒１８ｆに係止する。こうして該打継用鉄筋１０は、図１０及び図１２(a)、(b)に示すように、成形空間Ｓの底面近傍から最上部まで位置することになる。
【００６４】
このようにして生コンクリート製造工場等の一画に準備しておけば、生コンクリートを建設現場に運んだ運搬車が余った生コンクリートを持ち帰った場合等に、該残余の生コンクリートをこの打継用型枠に上部の補助枠１８の脇などの空所から投入することができる。
【００６５】
以上に於いて、前記補助枠１８から、その上部に突き出した吊上部１０ａを備えた打継用鉄筋１０を型枠の底面近傍まで垂下してあるため、打ち継ぎされた上下の生コンクリート相互は少なくとも該打継用鉄筋１０を介して確実に結合することになる。
【００６６】
また該打継用型枠の正面側には、挿脱自在な模様成形パネル１７が配してあり、成形されるブロックＢの正面には対応する模様が形成されることになる。またこの模様成形パネル１７は挿脱自在に構成されており、適宜取り換えることにより、順次異なる模様のブロックに成形することができる。
【００６７】
該型枠中で、コンクリートが硬化した後は、前記補助枠１８を、これを支持するＬ型支持板１８ｄ、１８ｄの底部の水平板と側面パネル１１、１１の上端の補強板１１ｂ、１１ｂとの小型万力による結合固定を解除することにより、取り除く。このとき、予めその開口部１８ｅから突き出し、直上の係止棒１８ｆに針金で縛り付け固定してあった打継用鉄筋１０の吊上部１０ａの縛り付け固定も解除しておく。
【００６８】
その後、前記側面パネル１１、１１と前記背面パネル１２及び正面パネル２１との結合固定を解除し、打継用型枠を解体する。この状態で、最上部の面取り部材１５及び模様成形用パネル１７は取り外すことが可能になる。
【００６９】
成形されるブロックＢは、実施例１のそれと全く同様であり、種々の土木建築用ブロックとして有用に使用することができる。
【図面の簡単な説明】
【００７０】
【図１】実施例１の打継用型枠の平面図（挟持具は省略）。
【図２】実施例１の打継用型枠の側面図（挟持具は省略）。
【図３】実施例１の打継用型枠の背面図（挟持具は省略）。
【図４】図１のＡ−Ａ線断面図（挟持具は省略）。
【図５】模様成形パネルを途中まで引き上げた状態の図１のＡ−Ａ線断面図（挟持具は省略）。
【図６】(a)は挟持具で側面パネルと介在片及び介在片と図示しない背面パネルを固定した状態を示す拡大部分側面図、(b)は挟持具で背面パネルと介在片及び介在片と図示しない側面パネルを固定した状態を示す拡大部分背面図。
【図７】(a)は脱型されたブロックの平面図、(b)は正面図、(c)は右側面図。
【図８】図７(b)のＢ−Ｂ線断面図。
【図９】実施例２の打継用型枠の平面図。
【図１０】実施例２の打継用型枠の正面図。
【図１１】(a)は実施例２の打継用型枠の右側面図、(b)は模様成形パネルを途中まで引き上げた状態の実施例２の打継用型枠の右側面図。
【図１２】(a)は図１０のＣ−Ｃ線断面図、(b)は模様成形パネルを途中まで引き上げた状態の図１０のＣ−Ｃ線断面図。
【符号の説明】
【００７１】
１    側面パネル
１ａ  側面パネルのパネル本体
１ｂ  側面パネルの補強板
１ｃ  結合孔
２    背面パネル
２ａ  背面パネルのパネル本体
２ｂ  背面パネルの補強板
２ｃ  結合孔
３    底面パネル
４    挟持具（保持手段）
４ａ  中心軸部
４ｂ  挟持部
５    面取り部材
６    保持隙間
７    模様成形パネル
８    補助枠
８ａ  底部
８ｂ、８ｃ  側板
８ｄ  Ｌ型支持板
８ｅ  開口部
８ｆ  係止棒（係止手段）
９    介在片
９ａ  連結片
９ｂ  補強片
９ｃ  結合孔
１０  打継用鉄筋
１０ａ  吊上部
１０ｂ  折り返し部
１１  側面パネル
１２  背面パネル
１３  底面パネル
１５  面取り部材
１６  保持隙間
１７  模様成形パネル
１８  補助枠
１８ａ  底部
１８ｂ、１８ｃ  側板
１８ｄ  Ｌ型支持板
１８ｅ  開口部
１８ｆ  係止棒（係止手段）
１９  介在片
２１  正面パネル
Ｂ    ブロック
Ｋ    凹部
Ｓ    成形空間
【図１】
0003136558.tif 000003
【図２】
0003136558.tif 000004
【図３】
0003136558.tif 000005
【図４】
0003136558.tif 000006
【図５】
0003136558.tif 000007
【図６】
0003136558.tif 000008
【図７】
0003136558.tif 000009
【図８】
0003136558.tif 000010
【図９】
0003136558.tif 000011
【図１０】
0003136558.tif 000012
【図１１】
0003136558.tif 000013
【図１２】
0003136558.tif 000014